(57)【要約】【課題】測定データを演算処理した演算数値に対する許容範囲値としての上下限値との関係での適否の判定結果を、上限値と下限値とに適否の識別が自在な識別記号を各別に付して表示できる波形表示装置および数値判定結果の表示方法の提供。【解決手段】波形表示装置の表示部１５の表示画面２１は、その一部領域を判定結果表示欄２２とし、その余の一部領域または全部領域を波形表示領域３０とし、判定結果表示欄２２には、別途用意される数値演算結果表示欄３３に各別に表示されている数値演算結果との関係での適否のみならず、否であれば予め定められている許容範囲値における上限値および／または下限値のいずれに原因があったかの判別が自在な識別記号２７，２８を付して対応する上下限値とともに表示する。【選択図】図２
2005098859.tif 000002
【特許請求の範囲】
【請求項１】
測定値をディジタル化された測定データとして取り込む入力部と、前記測定データを読み出し自在に保持するメモリと、該メモリから読み出された前記測定データを含む必要情報を表示する表示部と、必要な入力・設定操作をする操作部と、前記測定データに必要な演算処理を施して得られる演算数値に対する予め定めてある許容範囲値である上下限値との関係での適否判定および構成各部の統括制御を行う中央処理ユニットとを少なくとも備えてなる波形表示装置において、
前記許容範囲値との関係での前記演算数値の適否の判定結果は、前記上限値と前記下限値とに適否の識別が自在な識別記号を各別に付して表示部への表示を自在としたことを特徴とする波形表示装置。
【請求項２】
前記識別記号は、前記許容範囲値内である場合とこれから外れる場合とを色分けして表示させた請求項１に記載の波形表示装置。
【請求項３】
請求項１または２に記載の波形表示装置に適用され、
前記表示部の表示画面は、その一部領域を判定結果表示欄とし、その余の一部領域または全部領域を波形表示領域とし、
前記判定結果表示欄には、別途用意される数値演算結果表示欄に各別に表示されている数値演算結果との関係での適否のみならず、否であれば予め定められている許容範囲値における上限値および／または下限値のいずれに原因があったかの判別が自在な識別記号を付して対応する上下限値とともに表示することを特徴とする数値判定結果の表示方法。
【請求項４】
前記波形表示領域は、上下に二分割することで２チャンネルからの測定信号を各別に表示させる請求項３に記載の数値判定結果の表示方法。
【発明の詳細な説明】
【技術分野】
【０００１】
本発明は、測定データに必要な演算処理を施して得られる演算数値に対する予め定めてある許容範囲値としての上下限値との関係での適否の判定結果につき、「否」とする判定結果が上限値と下限値とのいずれについてのものであるかを識別可能に表示部することができる記録計を含む波形表示装置および数値判定結果の表示方法に関する技術である。
【背景技術】
【０００２】
図４は、従来からある波形判定器などの記録計から取得された測定データに対し所定の演算処理を施し、予め定めてある許容範囲値としての上下限値との関係での演算数値の適否判定結果の表示部への表示パターン例を示す説明図である。
【非特許文献１】「日置技報」日置電機株式会社  ２００３年４月２５日発行  Ｐ１〜Ｐ３
【０００３】
同図によれば、記録計１が備える表示部２の表示画面３は、左側の画面領域に判定結果表示欄４が設けられ、該判定結果表示欄４を除く画面領域に２つの測定チャンネル（ＣＨ１，ＣＨ２）から得られた実測定データとしての正弦波ｗ１と矩形波ｗ２とを各別に表示することができる波形表示領域５が上画面部６と下画面部７とに分割されて設けられている。
【０００４】
このうち、判定結果表示欄４は、その最上部に総合判定結果（図示例では「ＮＧ］）が表示され、その下方にＣＨ１の判定結果（図示例では「ＣＨ１  エリアＮＧ，1ＯＫ，3ＯＫ」と表示）と、ＣＨ２の判定結果（図示例では「ＣＨ２  2ＮＧ，4ＮＧ」と表示）とが各別に表示できるようになっている。
【０００５】
また、波形表示領域５における下画面部７の下側領域には、数値演算結果表示欄８が設けられており、該数値演算結果表示欄８には、「１（ＣＨ１）実効値：１．０５７０８Ｖ」，「２（ＣＨ２）実効値：１．６２８０５Ｖ」，「３（ＣＨ１）平均値：−１１．７３２０ｍＶ」，「４（ＣＨ２）カウント：１」として演算処理後の演算数値が表示されている。
【０００６】
この場合、判定結果表示欄４の表示内容と数値演算結果表示欄５の表示内容との間の対応関係は、以下のとおりである。
【０００７】
すなわち、「ＣＨ１  エリアＮＧ」の表示は、上画面部６に設定されている許容範囲エリア９に対し正弦波ｗ１が外れており「適否」のうちの「否」であるとする判定結果が出されていることを意味している。
【０００８】
また、「1ＯＫ」の表示は、下画面部７の数値演算結果表示欄８中に表示されている演算数値「１（ＣＨ１）実効値：１．０５７０８Ｖ」が予め定められている許容範囲値内にあり「適否」のうちの「適」であり、「3ＯＫ」の表示は、同様に「３（ＣＨ１）平均値：−１１．７３２０ｍＶ」が予め定められている許容範囲値内ありこれも「適」であるとする判定結果が出されていることをそれぞれ意味している。
【０００９】
さらに、「ＣＨ２  2ＮＧ」の表示は、下画面部４ｂの数値演算結果表示欄５中に表示されている演算数値「２（ＣＨ２）実効値：１．６２８０５Ｖ」が予め定められている許容範囲値から外れており「適否」のうちの「否」であり、「4ＮＧ」の表示は、同様に「４（ＣＨ２）カウント：１」が予め定められている許容カウントから外れており、これも「否」であるとする判定結果が出されていることをそれぞれ意味している。
【００１０】
このため、図４に示す表示例によれば、数値演算結果表示欄８中に表示されている各演算数値の適否判定の結果は、判定結果表示欄４を目視確認することにより直ちに知ることができる。
【発明の開示】
【発明が解決しようとする課題】
【００１１】
しかし、図４に示す表示例による場合には、許容範囲値である実際の上限値と下限値とが表示画面３には表示されない。このため、各演算数値のうちの「否」とされた判定結果については、上限値との関係で「否」であったのか、下限値との関係で「否」であったのか、さらには、上限値と下限値との双方との関係で「否」であったのかといった理由を知るには、測定を終えた後に上下限値を改めて確認しなければならない不便さがあった。
【００１２】
本発明は、従来手法にみられた上記課題に鑑み、測定データに必要な演算処理を施して得られる演算数値に対する予め定めてある許容範囲値としての上下限値との関係での適否の判定結果を、上限値と下限値とに適否の識別が自在な識別記号を各別に付して表示部することができる波形表示装置および数値判定結果の表示方法を提供することを目的とする。
【課題を解決するための手段】
【００１３】
本発明は、上記目的を達成すべくなされたものでありそのうちの第１の発明（波形表示装置）は、測定値をディジタル化された測定データとして取り込む入力部と、前記測定データを読み出し自在に保持するメモリと、該メモリから読み出された前記測定データを含む必要情報を表示する表示部と、必要な入力・設定操作をする操作部と、前記測定データに必要な演算処理を施して得られる演算数値に対する予め定めてある許容範囲値である上下限値との関係での適否判定および構成各部の統括制御を行う中央処理ユニットとを少なくとも備えてなる波形表示装置において、前記許容範囲値との関係での前記演算数値の適否の判定結果は、前記上限値と前記下限値とに適否の識別が自在な識別記号を各別に付して表示部への表示を自在としたことに最も主要な特徴がある。
【００１４】
この場合、前記識別記号は、前記許容範囲値内である場合とこれから外れる場合とを色分けして表示させるようにするのが好ましい。
【００１５】
一方、第２の発明（表示方法）は、上記波形表示装置に適用して行われるものであり、前記表示部の表示画面は、その一部領域を判定結果表示欄とし、その余の一部領域または全部領域を波形表示領域とし、前記判定結果表示欄には、別途用意される数値演算結果表示欄に各別に表示されている数値演算結果との関係での適否のみならず、否であれば予め定められている許容範囲値における上限値および／または下限値のいずれに原因があったかの判別が自在な識別記号を付して対応する上下限値とともに表示することに最も主要な特徴がある。この場合、前記波形表示領域は、上下に二分割することで２チャンネルからの測定信号を各別に表示させるようにするのが望ましい。
【発明の効果】
【００１６】
本発明によれば、測定データに必要な演算処理を施して得られる演算数値に対する予め定めてある許容範囲値としての上下限値との関係での適否の判定結果を、上限値と下限値とに適否の識別が自在な識別記号を各別に付して表示部に表示することができるので、否とする判定結果は、測定作業中であっても個々の識別記号を目視確認することにより、上限値と下限値との関係でどちらに外れたことに由来するものであるのかという原因の概要を容易に把握することができる。
【発明を実施するための最良の形態】
【００１７】
図１は、本発明にのうちの第１の発明に係る波形表示装置の構成例を示す機能ブロック図である。同図によれば、波形表示装置１１は、、測定値をディジタル化された測定データとして取り込む入力部１２と、測定データを読み出し自在に保持するＲＡＭなどのメモリ１３と、該メモリ１３から読み出された測定データを含む必要情報を表示するＬＣＤなどの表示部１５と、必要な入力・設定操作をするキーボードなどの操作部１７と、測定データに必要な演算処理を施す演算部１９から得られる演算数値に対し予め定めてある許容範囲値である上下限値との関係での適否判定を行う判定部２０および構成各部の統括制御を行う中央処理ユニット（ＣＰＵ）１８とを少なくとも備えて構成されている。なお、表示部１５については、記録紙にプリントアウトできる印刷部１６を別途用意することにより出力手段１４を形成することもできる。
【００１８】
図２は、波形表示装置１１が備える表示部１５の表示画面２１への表示例を示す説明図であり、左側の画面領域に判定結果表示欄２２が設けられ、該判定結果表示欄２２を除く画面領域に２つの測定チャンネル（ＣＨ１，ＣＨ２）から得られた実測定データとしての正弦波ｗ１と矩形波ｗ２とを各別に表示することができる波形表示領域３０が上画面部３１と下画面部３２とに分割されて設けられている。
【００１９】
このうち、判定結果表示欄２２は、その最上部に総合判定結果（図示例では「ＮＧ］）が表示されている。また、その下方には、ＣＨ１の実効値の上下限値表示欄２３と、ＣＨ２の実効値の上下限値表示欄２４と、ＣＨ１の平均値の上下限値表示欄２５と、ＣＨ２のカウントの上下限値表示欄２６とが設けられている。
【００２０】
この場合、ＣＨ１の実効値の上下限値表示欄２３には、上限値が「２．００００」で下限値が「１．００００」として、ＣＨ２の実効値の上下限値表示欄２４には、上限値が「１．００００」で下限値が「０．００００」として、ＣＨ１の平均値の上下限値表示欄２５には、上限値が「１００．００ｍ」で下限値が「−５００．００ｍ」として、ＣＨ２のカウントの上下限値表示欄２６には、上限値が「５．００００」で下限値が「２．００００」としてそれぞれ表示されている。
【００２１】
しかも、各上下限値表示欄２３，２４，２５，２６におけるそれぞれの上限値には上向きの三角図形からなる上限用の識別記号２７が、それぞれの下限値には下向きの三角図形からなる下限用の識別記号２８が付記されている。なお、図における上限用の識別記号２７と下限用の識別記号２８とは、べた塗り地（例えば赤色地）が限度を超えていることを示す「否」として、斜線地（例えば緑色地）が限度内を意味する「適」としてそれぞれが意味付けされている。
【００２２】
一方、波形表示領域３０における下画面部３２の下側領域には、数値演算結果表示欄３３が設けられており、該数値演算結果表示欄３３には、「１（ＣＨ１）実効値：１．０５７０８Ｖ」，「２（ＣＨ２）実効値：１．６２８０５Ｖ」，「３（ＣＨ１）平均値：−１１．７３２０ｍＶ」，「４（ＣＨ２）カウント：１」として演算処理後の４つの項目についての演算数値が表示されている。
【００２３】
なお、判定結果表示欄２２内に示されている「ＣＨ１ＮＧ」は、波形表示領域３０の上画面部３１に予め設定されている許容範囲エリア３４との関係で正弦波ｗ１が外れているため、「否」と判定されていることを示す。また、上下限値表示欄２３内に示されている「1ＯＫ」は、数値演算結果表示欄３３中の「１（ＣＨ１）実効値：１．０５７０８Ｖ」が「適」であることを、上下限値表示欄２４内に示されている「2ＮＧ」は、同「２（ＣＨ２）実効値：１．６２８０５Ｖ」が「否」であることを、上下限値表示欄２５内に示されている「3ＯＫ」は、同「３（ＣＨ１）平均値：−１１．７３２０ｍＶ」が「適」であることを、上下限値表示欄２６内に示されている「4ＮＧ」は、同「４（ＣＨ２）カウント：１」が「否」であることをそれぞれ示している。
【００２４】
次に、第１の発明に係る波形表示装置に適用して実施される第２の発明に係る数値判定結果の表示方法について、図１と図２とを参酌しながら図３に基づいてその処理手順を説明する。
【００２５】
すなわち、数値判定結果表示の処理が開始されると、予め定めてあるＣＨ１についての２項目とＣＨ２についての２項目との計４つの演算項目ｎについての判定が終了するまで処理を繰り返し行う設定が行われる。なお、図中のｎは、任意に設定されるｎ個（図では４個）の演算項目数を示す。
【００２６】
次いで、図２の判定結果表示欄２２中のＣＨ１の実効値の上下限値表示欄２３に１番目の演算項目についての上限値である「２．００００」と下限値である「１．００００」とを表示した上で、演算を行う。演算結果は、数値演算結果表示欄３３に「１（ＣＨ１）実効値：１．０５７０８Ｖ」と表示され、演算エラーがなければ上限値である「２．００００」との大小が比較される。比較した結果、演算結果が上限値内に納まっていることが確認されたので、図２に示すように上限用の識別記号２７が緑色で表示される。なお、この場合、演算結果が上限値を上回っているときは、上限用の識別記号２７が赤色で表示されることになる。
【００２７】
このように演算結果と上限値との比較を終えた後は、同じ演算結果と下限値との比較が行われる。具体的には、「１（ＣＨ１）実効値：１．０５７０８Ｖ」と下限値「１．００００」とが比較され、演算結果が下限値を上回っているので、図２に示すように下限用の識別記号２８が緑色で表示される。なお、この場合においても演算結果が下限値を下回っているときは、下限用の識別記号２８が赤色で表示されることになる。
【００２８】
以上に述べたｎ個の演算項目の適否判定は、図２の判定結果表示欄２２中の４番目の判定パターンであるＣＨ２のカウントの上下限値表示欄２６における大小比較に至るまで繰り返し行われ、それぞれの上限用の識別記号２７と下限用の識別記号２８とがその適否の如何により赤色または緑色で図２に示すように表示されることになる。
【００２９】
したがって、波形表示装置１１を用いて測定を行う者は、測定中においても判定結果表示欄２２中の各上下限値表示欄２３，２４，２５，２６の上限値に付されている上限用の識別記号２７と、下限値に付されている下限用の識別記号２８とを目視確認することにより、何が原因で判定結果が「否」となったかを直ちに知ることができる。
【００３０】
以上は、本発明を図示例に基づいて説明したものであり、その具体的な内容は上述の説明に限定されるものではない。例えば、上限用の識別記号２７と下限用の識別記号２８とは、その形状を図示例以外の適宜のものとすることができるほか、赤と緑以外の色を用いたり、識別を色ではなく異なる形状により表示できるようにすることもできる。
【００３１】
また、本発明は、４つの演算項目に適用させた場合を例に説明してあるが、３つ以下の演算項目に適用させたり、５つ以上の演算項目に適用させることもできる。
【図面の簡単な説明】
【００３２】
【図１】本発明における第１の発明（波形表示装置）の概略構成例を示す機能ブロック図。
【図２】図１の波形表示装置が備える表示部の表示画面への表示例を示す説明図。
【図３】第１の発明に係る波形表示装置に適用して実施される第２の発明に係る数値判定結果の表示方法の処理手順の一例を示すフローチャート図。
【図４】従来からある波形表示装置記録計が備える表示部の表示画面への表示例を示す説明図。
【符号の説明】
【００３３】
１１  波形表示装置
１２  入力部
１３  メモリ
１４  出力手段
１５  表示部
１６  印刷部
１７  操作部
１８  中央処理ユニット
１９  演算部
２０  判定部
２１  表示画面
２２  判定結果表示欄
２３，２４，２５，２６  上下限値表示欄
２７，２８  識別記号
３０  波形表示領域
３１  上画面部
３２  下画面部
３３  数値演算結果表示欄
３４  許容範囲エリア
ｗ１    正弦波
ｗ２  矩形波
【図１】
2005098859.tif 000003
【図２】
2005098859.tif 000004
【図３】
2005098859.tif 000005
【図４】
2005098859.tif 000006